(57)【要約】  特定の方法は、局からアクセスポイントにフレームを送信することを含む。フレームは、アクセスポイントの構成に関するビーコンシーケンス番号を含む。方法は、フレームを送信したことに応答して、アクセスポイントから更新フレームを受信することも含む。更新フレームは、アクセスポイントの構成の少なくとも１つの変更を示す。
2015503874.tif 000002
【特許請求の範囲】
【請求項１】
局からアクセスポイントにフレームを送信することと、前記フレームは、前記アクセスポイントの構成に関するビーコンシーケンス番号を含む、
前記フレームを送信したことに応答して、前記アクセスポイントから更新フレームを受信することと、前記更新フレームは、前記アクセスポイントの前記構成の少なくとも１つの変更を示す、
を備える方法。
【請求項２】
前記フレームを送信したことに応答して、更新ビットフィールドを含む肯定応答フレームを受信することと、ここにおいて、前記更新フレームが前記アクセスポイントにおいて利用可能であることを前記更新ビットフィールドが示すことと、
前記アクセスポイントから前記更新フレームを受信することと
をさらに備える、請求項１に記載の方法。
【請求項３】
前記局が低電力モードから移行することに応答して、前記フレームが前記アクセスポイントに送信され、前記低電力モードがスリープモードおよび電源オフモードのうちの１つを含む、請求項１に記載の方法。
【請求項４】
前記アクセスポイントの前記構成の前記少なくとも１つの変更が、チャネル変更、動作モード変更、またはそれらの任意の組合せを含む、請求項１に記載の方法。
【請求項５】
前記チャネル変更が、チャネル切替えまたは拡張チャネル切替えを含む、請求項４に記載の方法。
【請求項６】
前記動作モード変更が、拡張型分散チャネルアクセス（ＥＤＣＡ）パラメータの変更、クワイエット情報要素の変更、ダイレクトシーケンス拡散スペクトル（ＤＳＳＳ）パラメータセットの変更、無競合（ＣＦ）パラメータセットの変更、周波数ホッピング（ＦＨ）パラメータセットの変更、高速スループット（ＨＴ）動作要素の変更、またはそれらの任意の組合せを含む、請求項４に記載の方法。
【請求項７】
アクセスポイントにおいて局からフレームを受信することと、前記フレームは、前記局が低電力モードに入る前に前記局に知られていた前記アクセスポイントの最新の既知の構成を識別するビーコンシーケンス番号を含む、
前記アクセスポイントの現在の構成が前記フレーム中の前記局から受信された前記ビーコンシーケンス番号によって識別されるかどうかを判断することと、
前記現在の構成が前記ビーコンシーケンス番号によって識別されないと判断したことに応答して、前記現在の構成と前記ビーコンシーケンス番号によって識別される前記構成との間の少なくとも１つの差を示す更新フレームを送信することと
を備える方法。
【請求項８】
前記現在の構成が前記ビーコンシーケンス番号によって識別されないと判断したことに応答して、スケジュールされた送信時間の間に、前記局への前記更新フレームの送信をスケジュールすることと、
前記スケジュールされた送信時間の間に、前記更新フレームを前記局に送信することと、ここにおいて、前記スケジュールされた送信時間が、前記局がスリープモードではなく、電源オフモードではない時間である、
をさらに備える、請求項７に記載の方法。
【請求項９】
前記現在の構成が前記ビーコンシーケンス番号によって識別されないと判断したことに応答して、更新ビットフィールドを含む肯定応答フレームを送信することと、ここにおいて、前記更新フレームが前記アクセスポイントにおいて利用可能であることを前記更新ビットフィールドが示す、
前記更新フレームを前記局に送信することと
をさらに備える、請求項７に記載の方法。
【請求項１０】
前記更新フレームが、前記アクセスポイントのチャネル変更を示す拡張チャネル切替え告知フレームである、請求項７に記載の方法。
【請求項１１】
前記更新フレームが、前記アクセスポイントの動作モード変更を示す超高速スループット（ＶＨＴ）通知フレームである、請求項７に記載の方法。
【請求項１２】
局からアクセスポイントに、前記アクセスポイントによってバッファされる前記局についてのデータを要求するフレームを送信することと、
前記フレームを送信したことに応答して、前記アクセスポイントから、前記アクセスポイントの構成の少なくとも１つの変更を示す更新フレームを受信することと
を備える方法。
【請求項１３】
前記フレームが、節電ポーリング（ＰＳ−Ｐｏｌｌ）フレームを備える、請求項１２に記載の方法。
【請求項１４】
前記フレームが、前記アクセスポイントに前記データを前記局に送らせるトリガフレームを備える、請求項１２に記載の方法。
【請求項１５】
前記フレームが、前記局から前記アクセスポイントに送られるアップリンクデータを含む、請求項１２に記載の方法。
【請求項１６】
前記局が低電力モードで動作していた間に前記構成の前記少なくとも１つの変更が行われ、前記低電力モードがスリープモードおよび電源オフモードのうちの１つを含む、請求項１２に記載の方法。
【請求項１７】
前記アクセスポイントの前記構成の前記少なくとも１つの変更が、チャネル変更、動作モード変更、またはそれらの任意の組合せを含む、請求項１６に記載の方法。
【請求項１８】
アクセスポイントにおいて局からのフレームを受信することと、ここにおいて、前記アクセスポイントが、非同期モードで動作する局に関連付けられた情報を記憶するフラグレジスタを含む、
前記局が前記非同期モードで動作しているかどうかを判断することと、
前記局が前記非同期モードで動作していると判断したことに応答して、前記局に関連付けられた前記フラグレジスタにおいて記憶された情報が、更新フレームが前記局に送信されるべきであることを示すかどうかを判断することと、
更新フレームが前記局に送信されるべきであることを前記情報が示すと判断したことに応答して、前記更新フレームを前記局に送信することと、ここにおいて、前記更新フレームが、前記アクセスポイントの構成の少なくとも１つの変更を示す、
を備える方法。
【請求項１９】
前記更新フレームが、前記アクセスポイントの前記構成に関するビーコンシーケンス番号を含む、請求項１８に記載の方法。
【請求項２０】
更新フレームが前記局に送信されるべきであることを前記情報が示すと判断したことに応答して、肯定応答フレームを前記局に送信すること
をさらに備える、請求項１９に記載の方法。
【請求項２１】
前記更新フレームを前記局に送信した後、前記情報に対応するフラグをクリアすることをさらに備える、請求項１８に記載の方法。
【請求項２２】
前記局がスリープモードまたは節電モードを出るまで、前記更新フレームを前記局に送信するのを控えることをさらに備える、請求項１８に記載の方法。
【請求項２３】
局からアクセスポイントにフレームを送信することと、
前記フレームを送信したことに応答して、前記アクセスポイントの更新された構成に関する更新されたビーコンシーケンス番号を含む肯定応答フレームを受信することと、
前記アクセスポイントの最新の既知の構成が前記更新されたビーコンシーケンス番号によって識別されるかどうかを判断することと、
前記アクセスポイントの前記最新の既知の構成が前記更新されたビーコン番号によって識別されないと判断したことに応答して、更新要求フレームを前記アクセスポイントに送信することと
を備える方法。
【請求項２４】
前記アクセスポイントから、前記アクセスポイントの前記最新の既知の構成の少なくとも１つの変更を示す更新フレームを受信することをさらに備える、請求項２３に記載の方法。
【請求項２５】
アクセスポイントにおいて局からのフレームを受信することと、
前記フレームを受信したことに応答して、前記アクセスポイントの更新された構成に関する更新されたビーコンシーケンス番号を含む肯定応答フレームを送信することと
を備える方法。
【請求項２６】
前記肯定応答フレームを送信したことに応答して、前記局から更新要求フレームを受信することと、
前記局によって知られていた前記アクセスポイントの最新の既知の構成の少なくとも１つの変更を示す更新フレームを前記局に送信することと
をさらに備える、請求項２５に記載の方法。
【請求項２７】
プロセッサと、
局からアクセスポイントにフレームの送信を開始することと、前記フレームは、前記アクセスポイントの構成に関するビーコンシーケンス番号を含む、
前記フレームの送信に応答して、前記アクセスポイントの前記構成の少なくとも１つの変更を示す、前記アクセスポイントからの更新フレームの受信を検出することと
を行うように前記プロセッサによって実行可能な命令を記憶するメモリと
を備える装置。
【請求項２８】
前記命令が、
前記フレームの送信に応答して、更新ビットフィールドを含む肯定応答フレームの受信を検出することと、ここにおいて、前記更新フレームが前記アクセスポイントにおいて利用可能であることを前記更新ビットフィールドが示す、
前記アクセスポイントへの更新要求フレームの送信を開始することと、
前記更新要求フレームの送信に応答して、前記アクセスポイントからの前記更新フレームの受信を検出することと
を行うように前記プロセッサによってさらに実行可能である、請求項２７に記載の装置。
【請求項２９】
前記アクセスポイントの前記構成の前記少なくとも１つの変更が、チャネル変更、動作モード変更、またはそれらの任意の組合せを含む、請求項２７に記載の装置。
【請求項３０】
前記プロセッサが、モバイルデバイス、カメラ、マルチメディアプレーヤ、エンターテインメントユニット、ナビゲーションデバイス、携帯情報端末（ＰＤＡ）、ポータブルコンピュータ、またはそれらの任意の組合せに統合される、請求項２７に記載の装置。
【請求項３１】
プロセッサと、
アクセスポイントにおいて局からのフレームの受信を検出することと、
前記フレームを受信したことに応答して、前記アクセスポイントの更新された構成に関する更新されたビーコンシーケンス番号を含む肯定応答フレームの送信を開始することと
を行うように前記プロセッサによって実行可能な命令を記憶するメモリと
を備える装置。
【請求項３２】
前記命令が、
前記肯定応答フレームの送信に応答して、前記局からの更新要求フレームの受信を検出することと、
前記局によって知られていた前記アクセスポイントの最新の既知の構成の少なくとも１つの変更を示す、前記局への更新フレームの送信を開始することと
を行うように前記プロセッサによってさらに実行可能である、請求項３１に記載の装置。
【請求項３３】
アクセスポイントにおいて局からフレームを受信するための手段と、前記フレームは、前記局が低電力モードに入る前に前記局に知られていた前記アクセスポイントの最新の既知の構成を識別するビーコンシーケンス番号を含む、
前記アクセスポイントの現在の構成が前記フレーム中の前記局から受信された前記ビーコンシーケンス番号によって識別されるかどうかを判断するための手段と、
前記現在の構成が前記ビーコンシーケンス番号によって識別されないと判断したことに応答して、前記現在の構成と前記ビーコンシーケンス番号によって識別される前記構成との間の少なくとも１つの差を示す更新フレームを送信するための手段と
を備える装置。
【請求項３４】
局からアクセスポイントにフレームを送信するための手段と、
前記フレームに応答して、前記アクセスポイントの更新された構成に関する更新されたビーコンシーケンス番号を含む肯定応答フレームを受信するための手段と、
前記アクセスポイントの最新の既知の構成が前記更新されたビーコンシーケンス番号によって識別されるかどうかを判断するための手段と
を備え、
送信するための前記手段が、前記アクセスポイントの前記最新の既知の構成が前記更新されたビーコン番号によって識別されないと判断したことに応答して、更新要求フレームを前記アクセスポイントに送信するようにさらに構成される、装置。
【請求項３５】
プロセッサによって実行されると、前記プロセッサに、
局からアクセスポイントにフレームの送信を開始することと、前記フレームは、前記アクセスポイントの構成に関するビーコンシーケンス番号を含む、
前記フレームの送信に応答して、前記アクセスポイントの前記構成の少なくとも１つの変更を示す、前記アクセスポイントからの更新フレームの受信を検出することと
を行わせるプログラムコードを含む、非一時的コンピュータ可読媒体。
【請求項３６】
前記プロセッサによって実行されると、前記プロセッサに、
前記フレームの送信に応答して、更新ビットフィールドを含む肯定応答フレームの受信を検出することと、ここにおいて、前記更新フレームが前記アクセスポイントにおいて利用可能であることを前記更新ビットフィールドが示す、
前記アクセスポイントへの更新要求フレームの送信を開始することと、
前記更新要求フレームの送信に応答して、前記アクセスポイントからの前記更新フレームの受信を検出することと
を行わせるプログラムコードをさらに備える、請求項３５に記載の非一時的コンピュータ可読媒体。
【請求項３７】
前記アクセスポイントの前記構成の前記少なくとも１つの変更が、チャネル変更、動作モード変更、またはそれらの任意の組合せを含む、請求項３５に記載の非一時的コンピュータ可読媒体。
【請求項３８】
プロセッサによって実行されると、前記プロセッサに、
アクセスポイントにおいて局からのフレームの受信を検出することと、
前記フレームを受信したことに応答して、前記アクセスポイントの更新された構成に関する更新されたビーコンシーケンス番号を含む肯定応答フレームの送信を開始することと
を行わせるプログラムコードを備える非一時的コンピュータ可読媒体。
【請求項３９】
前記プロセッサによって実行されると、前記プロセッサに、
前記肯定応答フレームの送信に応答して、前記局からの更新要求フレームの受信を検出することと、
前記局によって知られていた前記アクセスポイントの最新の既知の構成の少なくとも１つの変更を示す、前記局への更新フレームの送信を開始することと
を行わせるプログラムコードをさらに備える、請求項３８に記載の非一時的コンピュータ可読媒体。
【発明の詳細な説明】
【技術分野】
【０００１】
関連出願の相互参照
[0001]本出願は、その内容全体が参照により本明細書に明確に組み込まれる、２０１２年１月９日に出願された、同一出願人が所有する米国仮特許出願第６１／５８４，６６７号の優先権を主張する。
【０００２】
[0002]本開示は、一般に、アクセスポイントと局との間での構成変更メッセージの送信に関する。
【背景技術】
【０００３】
[0003]ワイヤレスネットワークでは、局（たとえば、携帯電話、携帯情報端末（ＰＤＡ）、パーソナルコンピューティングデバイス、ラップトップ、および他のコンピューティングデバイス）は、ワイヤレス通信リンクを使用して、アクセスポイント（たとえば、ルータ）に接続する。アクセスポイントは、１つまたは複数のネットワークに接続され得、アクセスポイントに接続された局は、アクセスポイントへのワイヤレス通信リンクを介して、ネットワークにアクセスし得る。アクセスポイントは、アクセスポイントに関連付けられたカバレージエリア内の局にビーコンフレームを周期的にブロードキャストし得る。ビーコンフレームは、ビーコン間隔に従って、アクセスポイントによってブロードキャストされる。ビーコンフレームは、局のうちの１つに向けられたデータがアクセスポイントにおいて記憶されることを示し得る。ビーコンフレームは、アクセスポイントの構成の変更も示し得る。
【０００４】
[0004]アクセスポイントに接続された局の各々は、同期モードまたは非同期モードで動作し得る。同期モードで動作する局は、アクセスポイントからビーコンフレームを受信し、アクセスポイントが局に向けられたデータを記憶していることをビーコンフレームが示すかどうかを判断するように構成される。局はまた、構成変更がアクセスポイントにおいて行われたことをビーコンフレームが示すかどうかを判断し得る。アクセスポイントが局に向けられたデータを記憶していないことと、構成変更が行われなかったこととをビーコンフレームが示す場合、局は低電力モード（たとえば、スリープモード）に移行し得る。次のビーコンフレームをブロードキャストする前の後続の時間に、局は低電力モードから移行し、次のビーコンフレームを受信する準備をする。構成変更が行われたことおよび／またはアクセスポイントが局に向けられたデータを記憶していることをビーコンフレームが示す場合、局はアクセスポイントとの通信を開始して、構成変更を決定し得るおよび／またはアクセスポイントにおいて記憶されたデータを受信し得る。構成変更が行われた場合、局は、アクセスポイントから受信された構成変更に関連付けられた情報に基づいて、局の構成を変更し得る。したがって、同期モードで動作する局は、局がアクセスポイントからデータおよび／または構成変更データを受信する必要がないときに、各ビーコンフレームの送信の合間に低電力モードに移行することによって、バッテリー電力を節約することができる。同期モードで動作する局は各ビーコンフレームを受信するので、各局は、アクセスポイントにおいて行われる各構成変更の通知を受信し、局の構成をアクセスポイントの構成と同期させることができる。
【０００５】
[0005]同期モードで動作する局とは異なり、非同期モードで動作する局は、ビーコン間隔よりも長くてもよい非同期低電力モードに移行し得る。したがって、非同期モードで動作する局は各ビーコンフレームを受信しない場合がある。局が非同期低電力モードである間に、アクセスポイント構成変更を識別するビーコンフレームがアクセスポイントによって送信される場合、局が非同期低電力モードから移行するとき、局は構成変更の通知を受信しない場合がある。したがって、非同期モードで動作する局は、古いアクセスポイント構成情報に従って構成されたままである場合がある。
【発明の概要】
【０００６】
[0006]アクセスポイントと局との間で構成変更メッセージを送信するシステムおよび方法が開示される。特定の実施形態では、説明する技法は、低デューティサイクルを有し得る米国電気電子学会（ＩＥＥＥ）８０２．１１ａｈ準拠デバイスにおいて適用例を見出し得る。例示すると、ＩＥＥＥ８０２．１１ａｈ準拠ネットワークを介して通信するワイヤレスセンサは、比較的短い時間期間の間ウェイクアップして、いくつかの測定を実行し、測定の結果をアクセスポイントを介して宛先に通信し（または結果をアクセスポイントに通信し）、次いで、比較的長い時間期間の間スリープし得る。ワイヤレスセンサは電力を節約するために頻繁にスリープモードになるので、ワイヤレスセンサは、ワイヤレスセンサがスリープモードになっていた間に変化した可能性があるネットワークまたはシステム構成に気づいていない場合がある。ウェイクアップした後、ワイヤレスセンサはアクセスポイントからの構成変更に関する情報を必要とし得る。開示される技法は、更新された構成情報がアクセスポイントと低デューティサイクルワイヤレスセンサとの間で通信されることを可能にし得る。
【０００７】
[0007]特定の実施形態では、方法は、局からアクセスポイントにフレームを送信することを含む。フレームは、アクセスポイントの構成に関するビーコンシーケンス番号を含む。方法は、フレームを送信したことに応答して、アクセスポイントから更新フレームを受信することも含む。更新フレームは、アクセスポイントの構成の少なくとも１つの変更を示す。
【０００８】
[0008]別の特定の実施形態では、方法は、アクセスポイントにおいて局からのフレームを受信することを含む。フレームは、局が低電力モードに入る前に局に知られていたアクセスポイントの最新の既知の構成を識別するビーコンシーケンス番号を含む。方法は、アクセスポイントの現在の構成がフレーム中の局から受信されたビーコンシーケンス番号によって識別されるかどうかを判断することも含む。方法は、現在の構成がビーコンシーケンス番号によって識別されないと判断したことに応答して、現在の構成とビーコンシーケンス番号によって識別される構成との間の少なくとも１つの差を示す更新フレームを送信することをさらに含む。
【０００９】
[0009]別の特定の実施形態では、方法は、局からアクセスポイントに、アクセスポイントによってバッファされる局についてのデータを要求するフレームを送信することを含む。方法は、フレームを送信したことに応答して、アクセスポイントから、アクセスポイントの構成の少なくとも１つの変更を示す更新フレームを受信することも含む。
【００１０】
[0010]別の特定の実施形態では、方法は、アクセスポイントにおいて局からのフレームを受信することを含む。アクセスポイントは、非同期モードで動作する局に関連付けられた情報を記憶するフラグレジスタを含む。方法は、局が非同期モードで動作しているかどうかを判断することをさらに含む。方法は、局が非同期モードで動作していると判断したことに応答して、局に関連付けられたフラグレジスタにおいて記憶された情報が、更新フレームが局に送信されるべきであることを示すと判断することも含む。方法は、更新フレームが局に送信されるべきであることを情報が示すと判断したことに応答して、更新フレームを局に送信することをさらに含む。更新フレームは、アクセスポイントの構成の少なくとも１つの変更を示す。
【００１１】
[0011]別の特定の実施形態では、方法は、局からアクセスポイントにフレームを送信することを含む。方法は、フレームを送信したことに応答して、アクセスポイントの更新された構成に関する更新されたビーコンシーケンス番号を含む肯定応答フレームを受信することも含む。方法は、アクセスポイントの最新の既知の構成が更新されたビーコンシーケンス番号によって識別されるかどうかを判断することをさらに含む。方法は、アクセスポイントの最新の既知の構成が更新されたビーコン番号によって識別されないと判断したことに応答して、更新要求フレームをアクセスポイントに送信することも含む。
【００１２】
[0012]別の特定の実施形態では、方法は、アクセスポイントにおいて局からのフレームを受信することを含む。方法は、フレームを受信したことに応答して、アクセスポイントの更新された構成に関する更新されたビーコンシーケンス番号を含む肯定応答フレームを送信することをさらに含む。
【００１３】
[0013]特定の実施形態では、装置は、プロセッサと、プロセッサによって実行可能な命令を記憶するメモリとを含む。命令は、局からアクセスポイントへのフレームの送信を開始するように実行可能である。フレームは、アクセスポイントの構成に関するビーコンシーケンス番号を含む。命令は、フレームの送信に応答して、アクセスポイントの構成の少なくとも１つの変更を示すアクセスポイントからの更新フレームの受信を検出するようにさらに実行可能である。
【００１４】
[0014]別の特定の実施形態では、装置は、プロセッサと、プロセッサによって実行可能な命令を記憶するメモリとを含む。命令は、アクセスポイントにおける局からのフレームの受信を検出するように実行可能である。命令は、フレームを受信したことに応答して、アクセスポイントの更新された構成に関する更新されたビーコンシーケンス番号を含む肯定応答フレームの送信を開始するようにさらに実行可能である。
【００１５】
[0015]特定の実施形態では、装置は、アクセスポイントにおいて局からのフレームを受信するための手段を含む。フレームは、局が低電力モードに入る前に局に知られていたアクセスポイントの最新の既知の構成を識別するビーコンシーケンス番号を含む。装置は、アクセスポイントの現在の構成がフレーム中の局から受信されたビーコンシーケンス番号によって識別されるかどうかを判断するための手段も含む。装置は、現在の構成がビーコンシーケンス番号によって識別されないと判断したことに応答して、現在の構成とビーコンシーケンス番号によって識別される構成との間の少なくとも１つの差を示す更新フレームを送信するための手段をさらに含む。
【００１６】
[0016]別の特定の実施形態では、装置は、局からアクセスポイントにフレームを送信するための手段を含む。装置は、フレームに応答して、アクセスポイントの更新された構成に関する更新されたビーコンシーケンス番号を含む肯定応答フレームを受信するための手段も含む。装置は、アクセスポイントの最新の既知の構成が更新されたビーコンシーケンス番号によって識別されるかどうかを判断するための手段をさらに含む。送信するための手段は、アクセスポイントの最新の既知の構成が更新されたビーコン番号によって識別されないと判断したことに応答して、更新要求フレームをアクセスポイントに送信するようにさらに構成される。
【００１７】
[0017]特定の実施形態では、非一時的コンピュータ可読媒体は、プロセッサによって実行されると、プロセッサに局からアクセスポイントへのフレームの送信を開始させるプログラムコードを含む。フレームは、アクセスポイントの構成に関するビーコンシーケンス番号を含む。プログラムコードは、フレームの送信に応答して、プロセッサに、アクセスポイントの構成の少なくとも１つの変更を示すアクセスポイントからの更新フレームの受信を検出させるように実行可能である。
【００１８】
[0018]特定の実施形態では、非一時的コンピュータ可読媒体は、プロセッサによって実行されると、プロセッサにアクセスポイントにおける局からのフレームの受信を検出させるプログラムコードを含む。命令は、フレームを受信したことに応答して、プロセッサにアクセスポイントの更新された構成に関する更新されたビーコンシーケンス番号を含む肯定応答フレームの送信を開始させるようにも実行可能である。
【００１９】
[0019]説明する実施形態のうちの少なくとも１つによって与えられる１つの利点は、効率的にかつ正確に現在のネットワーク／システム構成（すなわち、アクセスポイント構成）を低電力局に提供する能力を含む。
【００２０】
[0020]本開示の他の態様、利点、および特徴は、以下のセクション、すなわち、「図面の簡単な説明」と、「発明を実施するための形態」と、「特許請求の範囲」とを含む、本出願全体を検討した後に明らかになるであろう。
【図面の簡単な説明】
【００２１】
【図１】[0021]アクセスポイントと局との間で構成変更メッセージを送信するように動作可能なシステムの特定の実施形態の図。
【図２】[0022]図１のシステム中のアクセスポイントと局との間で構成変更メッセージを送信する方法の特定の実施形態の図。
【図３】[0023]図１のシステム中のアクセスポイントと局との間で構成変更メッセージを送信する方法の別の実施形態の図。
【図４】[0024]図１のシステム中のアクセスポイントと局との間で構成変更メッセージを送信する方法の別の実施形態の図。
【図５】[0025]図１〜図４に従ってアクセスポイントに構成変更メッセージを送信するように動作可能な局の特定の実施形態のブロック図。
【図６】[0026]図１〜図４に従って局に構成変更メッセージを送信するように動作可能なアクセスポイントの特定の実施形態のブロック図。
【発明を実施するための形態】
【００２２】
[0027]図１を参照すると、アクセスポイントと局との間で構成変更メッセージを送信するように動作可能なシステムの特定の実施形態の図が示されており、全体として１００で示されている。システム１００はアクセスポイント１０２、１０４および１０６を含む。アクセスポイント１０２、１０４、１０６の各々は１つまたは複数の局と、１つまたは複数のネットワーク１０８とに接続され得る。アクセスポイント１０２、１０４、１０６は有線接続またはワイヤレス接続を介して１つまたは複数のネットワーク１０８に接続され得る。
【００２３】
[0028]図１に示すように、第１のアクセスポイント１０２は第１のワイヤレス通信リンクを介して第１の局１１０に接続され、第２のワイヤレス通信リンクを介して第２の局１１２に接続される。第２のアクセスポイント１０４は第３のワイヤレス通信リンクを介して第３の局１１４に接続され、第３のアクセスポイント１０６は第４のワイヤレス通信リンクを介して第４の局１１６に接続される。ワイヤレス通信リンクの各々は、１つまたは複数のワイヤレス通信プロトコル（たとえば、米国電気電子学会（ＩＥＥＥ）８０２．１１ａｈ準拠プロトコル）に従って確立され得る。
【００２４】
[0029]特定の実施形態では、局はフレームをアクセスポイントに送信し得る。フレームは、アクセスポイントによってバッファされる局についてのデータ（たとえば、局が低電力モードであった間にアクセスポイントによって受信されたおよび／またはバッファされた局についてのデータ）を要求し得る。たとえば、フレームは、プローブ要求フレームよりも長さが短くてもよい節電ポーリング（ＰＳ−Ｐｏｌｌ）フレームであり得る。代替または追加として、フレームは、アクセスポイントにデータを局に送らせるトリガフレームであり得る。特定の実施形態では、フレームは局からアクセスポイントに送られるアップリンクデータを含み得る。フレームを受信すると、アクセスポイントは、局に関連付けられたアクセスポイントのレジスタ（たとえば、フラグレジスタ）に記憶されたフラグが、更新フレームが局に送信されるべきであることを示すかどうかを判断し得る。更新フレームが局に送信されるべきであることをフラグが示すと判断したことに応答して、アクセスデバイスは更新フレームを局に送信し得る。特定の実施形態では、更新フレームはアクセスポイントの構成の少なくとも１つの変更を示し得る。局は更新フレームを受信し得、したがって、アクセスポイントの現在の構成に気づいており、現在の構成に基づいてアクセスポイントと通信し得る。
【００２５】
[0030]例示すると、第１の局１１０は同期モードで動作し得、第２の局１１２は非同期モードで動作し得る。図１に示すように、第１のアクセスポイント１０２はバッファ１４０とフラグレジスタ１４２とを含む。第１の時間において、第１のアクセスポイント１０２は１つまたは複数のネットワーク１０８のうちの１つから第１のデータを受信し得る。第１のアクセスポイント１０２は第１のデータの意図された受信者が第１の局１１０であると判断し得、第１のデータをバッファ１４０に記憶し得る。第１の時間において、第１の局１１０は低電力モードになっていてもよい。後続の時間において、第１の局１１０が低電力モードから移行した後、第１のアクセスポイント１０２はビーコンフレーム１２０をブロードキャストし得、第１の局１１０はビーコンフレーム１２０を受信し得る。第１の局１１０は、第１の局１１０に向けられた第１のデータが第１のアクセスポイント１０２のバッファ１４０に記憶されることをビーコンフレーム１２０が示すと判断し得る。第１の局１１０はまた、ビーコンフレーム１２０のブロードキャストの前かつ前のビーコンフレームのブロードキャストの後に（すなわち、第１の局１１０がスリープモードであった間に）構成変更が第１のアクセスポイント１０２において行われたことをビーコンフレーム１２０が示すと判断し得る。第１の局１１０は、ビーコンフレーム１２０に含まれる情報に基づいて、第１の局１１０の構成を変更し得る。
【００２６】
[0031]第１のアクセスポイント１０２のフラグレジスタ１４２は、第１のアクセスポイント１０２に接続され、非同期モードで動作している局に関連付けられた情報を記憶し得る。たとえば、フラグレジスタ１４２中のエントリは第２の局１１２に関連付けられ得る。第１のアクセスポイント１０２は、第１のアクセスポイント１０２の構成の変更が行われてから、第２の局１１２が第１のアクセスポイント１０２と通信しなかったと判断したことに応答して、第２の局１１２に関連付けられたフラグレジスタ１４２中のエントリを第１の値に設定し得る。特定の実施形態では、第１のアクセスポイント１０２は、第１のアクセスポイント１０２の構成に対して行われた重要な変更に応答して、フラグレジスタ１４２中のエントリを第１の値に設定するように構成され得るが、重要ではない構成変更は第１のアクセスポイント１０２にフラグレジスタ１４２中のエントリを第１の値に設定させない。特定の実施形態では、構成変更が「重要」であるかどうかは規格（たとえば、ＩＥＥＥ８０２．１１ａｈ）で定義され、第１のアクセスポイント１０２は規格で定義された重要な構成変更を識別するように構成され得る。
【００２７】
[0032]第１のアクセスポイント１０２がビーコンフレーム１２０をブロードキャストするとき、第２の局１１２は非同期低電力モードで動作している場合があり、ビーコンフレーム１２０で示された構成変更通知を受信しない場合がある。第２の局１１２がビーコンフレーム１２０を受信しなかったので、第２の局１１２の構成は第１のアクセスポイント１０２の構成と同期していない場合がある。非同期低電力モードから移行したことに応答して、第２の局１１２はメッセージ１２２を第１のアクセスポイント１０２に送信し得る。特定の実施形態では、メッセージ１２２は節電ポール（ＰＳ−Ｐｏｌｌ）フレームである。代替として、フレームは、第１のアクセスポイント１０２にデータ（たとえば、第２の局１１２が低電力モードであった間に第１のアクセスポイント１０２によって受信されたおよび／またはバッファされた第２の局１１２についてのデータ）を第２の局１１２に送らせるトリガフレームであり得る。特定の実施形態では、フレームは第２の局１１２から第１のアクセスポイント１０２に送られるアップリンクデータを含み得る。
【００２８】
[0033]メッセージ１２２（たとえば、ＰＳ−Ｐｏｌｌフレーム）を受信したことに応答して、第１のアクセスポイント１０２は第２の局１１２が非同期モードで動作しているかどうかを判断し得る。第２の局１１２が非同期モードで動作していると判断したことに応答して、第１のアクセスポイント１０２は、フラグレジスタ１４２中の第２の局１１２についてのエントリが、第１のアクセスポイント１０２の構成の変更が行われてから、第２の局１１２が第１のアクセスポイント１０２と通信しなかったことを示す第１の値に設定されているかどうかを判断し得る。フラグレジスタ１４２中のエントリが第１の値に設定されているとき、第１のアクセスポイント１０２は更新メッセージ１２４を第２の局１１２に送信する。
【００２９】
[0034]特定の実施形態では、更新メッセージ１２４は、第１のアクセスポイント１０２の前の構成における１つまたは複数のパラメータ値とは値が異なる、第１のアクセスポイント１０２の現在の構成における１つまたは複数のパラメータ値を識別する情報を含み得る。別の実施形態では、更新メッセージ１２４は、第１のアクセスポイント１０２の構成に関連付けられたパラメータ値のすべてまたは所定のセットを識別する情報を含み得る。さらに別の実施形態では、更新メッセージ１２４は、第１のアクセスポイント１０２の構成が変化したことを示す情報を含み得る。第２の局１１２は、更新メッセージ１２４を受信したことに応答して、更新メッセージ１２４に含まれる情報に基づいて、その構成を変更し得る。
【００３０】
[0035]別の実施形態では、更新メッセージ１２４は更新ビットを含む肯定応答（ＡＣＫ）フレームであり得る。更新ビットの第１の値は、第１のアクセスポイント１０２が第２の局１１２に送るべきデータを有さないことを示し得る。更新ビットの第２の値は、第１のアクセスポイント１０２が第２の局１１２に送るべきデータを有することを示し得る。データは第１のアクセスポイント１０２における構成変更に関連付けられた情報を含み得る。代替または追加として、データは、第２の局１１２に向けられ、バッファ１４０に記憶される、ネットワーク（たとえば、ネットワーク１０８のうちの１つ）から受信された情報を含み得る。肯定応答メッセージ（たとえば、更新メッセージ１２４）に含まれる更新ビットが第１の値に設定されていると判断したことに応答して、第２の局１１２は非同期低電力モードに移行し得る。肯定応答メッセージ（たとえば、更新メッセージ１２４）に含まれる更新ビットが第２の値に設定されていると判断したことに応答して、第２の局１１２が第１のアクセスポイント１０２からデータを受信するまで、第２の局１１２は非同期低電力モードに移行することを控え得る。
【００３１】
[0036]特定の実施形態では、更新メッセージ１２４は、ＩＥＥＥ８０２．１１ａｈ規格で定義された１つまたは複数のフレームなどのＩＥＥＥ８０２．１１ａｈワイヤレスネットワークに準拠するフレーム、１つまたは複数の変更された更新フレーム、プローブ応答フレーム、チャネル変更フレーム、拡張チャネル切替え告知（ＥＣＳＡ：extended channel switch announcement）フレーム、動作モード変更フレーム、超高速スループット（ＶＨＴ：very high throughput）動作モード通知フレーム、別のフレーム、またはそれらの組合せであり得る。
【００３２】
[0037]特定の実施形態では、第２のアクセスポイント１０４はバッファ１４４を含む。第２のアクセスポイント１０４のバッファ１４４は、第１のアクセスポイント１０２のバッファ１４０に関して説明したように動作し得る。たとえば、第２のアクセスポイント１０４はネットワーク１０８を介して第３の局１１４に宛てられた第２のデータを受信し得る。第３の局１１４は非同期モードで動作し得る。第３の局１１４が、第３の局１１４がデータを受信する準備ができていることを示すメッセージを第２のアクセスポイント１０４に送信するまで、第２のアクセスポイント１０４は第２のデータをバッファ１４４に記憶し得る。
【００３３】
[0038]第２のアクセスポイント１０４の構成を変更したことに応答して、第３の局１１４に関連付けられたフラグレジスタ中のエントリの値を第１の値に設定することによって、第２のアクセスポイント１０４は、第２のアクセスポイント１０４における構成変更を示すビーコンフレームがブロードキャストされたときに第３の局１１４が非同期低電力モードであったかどうかを判断することができる。したがって、第３の局１１４からＰＳ−Ｐｏｌｌメッセージを受信したことに応答して、第２のアクセスポイント１０４は、第３の局１１４が構成変更の通知を受信したかどうかを自動的に判断し、第３の局１１４が構成変更の通知を受信しなかった場合、構成変更を識別する情報を含む更新メッセージ１２４を第３の局１１４に自動的に送信することができる。
【００３４】
[0039]別の特定の実施形態では、アクセスポイントと通信する局はフレームをアクセスポイントに送信し得る。フレームは、アクセスポイントによってバッファされる局についてのデータ（たとえば、局が低電力モードであった間にアクセスポイントによって受信されたおよび／またはバッファされた局についてのデータ）を要求し得る。たとえば、フレームは節電ポーリング（ＰＳ−Ｐｏｌｌ）フレームであり得る。代替または追加として、フレームは、アクセスポイントにデータを局に送らせるトリガフレームであり得る。特定の実施形態では、フレームは局からアクセスポイントに送られるアップリンクデータを含み得る。フレームは、アクセスポイントの構成（すなわち、局が低電力モードに入る前に局に知られていたアクセスポイントの最新の既知の構成）に関連するビーコンシーケンス番号を含み得る。アクセスポイントはフレームを受信し得、フレームに含まれるビーコンシーケンス番号がアクセスポイントの「古い」構成に対応する（すなわち、アクセスポイントの現在の構成ではない）と判断し得る。アクセスポイントは次いで、現在の構成と、受信されたビーコンシーケンス番号によって識別される古い構成との間の少なくとも１つの差を示す更新フレームを送信し得る。代替実施形態では、アクセスポイントは（たとえば、局がスリープモードまたは節電モードになっていない期間の間の）局への更新フレームの送信をスケジュールし得、スケジュールされた時間の間に更新フレームを送信し得る。したがって、局がスリープモードまたは節電モードを出るまで、アクセスポイントは更新フレームを局に送信するのを控え得る。さらに別の代替実施形態では、アクセスポイントは、更新ビットフィールドなどの、更新フレームが利用可能である（すなわち、現在の構成が利用可能である）ことを局に通知する情報を含む肯定応答（ＡＣＫ）フレームを送信し得る。局が肯定応答フレームを受信するとき、局は更新要求フレームをアクセスポイント送信し得、アクセスポイントは次いで、更新フレームを局に送信し得る。
【００３５】
[0040]例示すると、第２のアクセスポイント１０４はワイヤレス通信リンクを介して第３の局１１４と通信するように構成され得る。図２〜図３に関して説明したように、第３の局１１４が非同期低電力モードである間に、構成変更が第２のアクセスポイント１０４において行われ得る。特定の実施形態では、構成変更はチャネル構成に関連付けられる。たとえば、第２のアクセスポイント１０４は、第３の局１１４および他の局（図示せず）と通信するために第２のアクセスポイント１０４によって使用されるチャネルは一時的にクワイエットになる（すなわち、トラフィックがない）必要があり得ると判断し得る。第２のアクセスポイント１０４は、チャネルがクワイエットになるべきであることを示すようにその構成情報を変更し得る。特定の実施形態では、第２のアクセスポイント１０４は現在の送信チャネルまたは動作チャネルを変更し得、動作モードを変更し得、またはその任意の組合せであり得る。たとえば、チャネル変更はチャネル切替えまたは拡張チャネル切替えであり得る。別の例として、動作モード変更は、拡張型分散チャネルアクセス（ＥＤＣＡ：enhanced distribution channel access）パラメータの変更、クワイエット情報要素の変更、ダイレクトシーケンス拡散スペクトル（ＤＳＳＳ：direct sequence spread spectrum）パラメータセットの変更、無競合（ＣＦ：contention-free）パラメータセットの変更、周波数ホッピング（ＦＨ：frequency-hopping）パラメータセットの変更、高速スループット（ＨＴ：high-throughput）動作要素の変更、またはそれらの任意の組合せを含み得る。
【００３６】
[0041]構成を変更したことに応答して、第２のアクセスポイント１０４は第２のアクセスポイント１０４の現在の構成を識別するビーコンシーケンス番号を変更（たとえば、増分または減分）し得る。たとえば、チャネルがクワイエットになるべきであることを示すように第２のアクセスポイント１０４の構成を変更する前に、ビーコンシーケンス番号はＸの値を有し得る。構成を変更したことに応答して、第２のアクセスポイント１０４はビーコンシーケンス番号をＸ＋１の値（たとえば、増分）に変更し得る。
【００３７】
[0042]第２のアクセスポイント１０４における構成の変更の前に、第３の局１１４は非同期低電力モードに移行している場合がある。第３の局１１４は、第２のアクセスポイント１０４に関連付けられたビーコンシーケンス番号がＸの値を有することを示す情報を記憶し得る。第３の局１１４において記憶されたＸの値は、非同期低電力モードに移行する前に第３の局１１４に知られていた第２のアクセスポイント１０４の最新の構成を表すまたはそれに対応し得る。第３の局１１４が非同期低電力モードである間、第３の局１１４は第２のアクセスポイント１０４の構成が変化したことを検出することができない。第３の局１１４が非同期低電力モードから移行するとき、第３の局１１４において記憶されたビーコンシーケンス番号は、第２のアクセスポイント１０４の構成がＸのビーコンシーケンス番号値に関連付けられた構成であることを示す。第３の局１１４が非同期低電力モードから移行するとき、第２のアクセスポイント１０４において記憶された現在のビーコンシーケンス番号はＸ＋１の値を有する。
【００３８】
[0043]第３の局１１４が非同期低電力モードから移行するとき、第３の局１１４はメッセージを第２のアクセスポイント１０４に送信する。メッセージは、第２のアクセスポイント１０４によってバッファされる第３の局１１４についてのデータを要求するＰＳ−Ｐｏｌｌメッセージ１２６を含み得る。代替または追加として、メッセージは、アクセスポイントにデータを局に送らせるトリガフレームを含み得る。特定の実施形態では、メッセージは、第３の局１１４から第２のアクセスポイント１０４に送られるアップリンクデータを含み得る。特定の実施形態では、ＰＳ−Ｐｏｌｌメッセージ１２６は第３の局１１４において記憶されるビーコンシーケンス番号１２７（たとえば、Ｘの値を有するビーコンシーケンス番号）を含み得る。ＰＳ−Ｐｏｌｌメッセージ１２６は第２のアクセスポイント１０４によって受信され得る。
【００３９】
[0044]第３の局１１４からＰＳ−Ｐｏｌｌメッセージ１２６を受信したことに応答して、第２のアクセスポイント１０４は、ＰＳ−Ｐｏｌｌメッセージ１２６に含まれるビーコンシーケンス番号１２７（たとえば、Ｘの値を有するビーコンシーケンス番号）が第２のアクセスポイント１０４において記憶された現在のビーコンシーケンス番号（たとえば、Ｘ＋１の値を有するビーコンシーケンス番号）を識別するかどうかを判断し得る。ＰＳ−Ｐｏｌｌメッセージ１２６に含まれるビーコンシーケンス番号１２７が第２のアクセスポイント１０４において記憶された現在のビーコンシーケンス番号を識別しないと判断したことに応答して、第２のアクセスポイント１０４は更新メッセージ１２８を第３の局１１４に送信し得る。更新メッセージ１２８は更新メッセージ１２４と類似していてもよく、更新メッセージ１２４に含まれる情報に類似する情報を含み得る。
【００４０】
[0045]たとえば、更新メッセージ１２８は、第２のアクセスポイント１０４の前の構成における１つまたは複数のパラメータ値とは値が異なる、第２のアクセスポイント１０４の現在の構成における１つまたは複数のパラメータ値を識別する情報を含み得る。別の実施形態では、更新メッセージ１２８は、第２のアクセスポイント１０４の構成に関連付けられたパラメータ値のすべてまたは所定のセットを識別する情報を含み得る。さらに別の実施形態では、更新メッセージ１２８は、第２のアクセスポイント１０４の構成が変化したことを示す情報を含み得る。更新メッセージ１２８を受信したことに応答して、第３の局１１４は、更新メッセージ１２８に含まれる情報に基づいて、その構成を変更し得る。
【００４１】
[0046]別の特定の実施形態では、第２のアクセスポイント１０４は、更新メッセージ１２８を送信する代わりにまたは更新メッセージ１２８を送信することに加えて、肯定応答フレーム（図示せず）を第３の局１１４に送信し得る。肯定応答フレームは更新ビット（たとえば、フラグ）を含み得る。特定の実施形態では、更新ビットは、第３の局１１４において記憶されたビーコンシーケンス番号１２７が第２のアクセスポイント１０４において記憶された現在のビーコンシーケンス番号を識別するかどうかを示し得る。たとえば、更新ビットの第１の値は、第３の局１１４において記憶されたビーコンシーケンス番号１２７が第２のアクセスポイント１０４において記憶された現在のビーコンシーケンス番号と一致することを示し得る。更新ビットの第２の値は、第３の局１１４において記憶されたビーコンシーケンス番号１２７が第２のアクセスポイント１０４において記憶された現在のビーコンシーケンス番号と一致しないことを示し得る。
【００４２】
[0047]別の特定の実施形態では、更新ビットは、第２のアクセスポイント１０４が第３の局１１４に送るべきデータを有することを示し得る。たとえば、更新ビットの第１の値は、第２のアクセスポイント１０４が第３の局１１４に送るべきデータを有さないことを示し得る。更新ビットの第２の値は、第２のアクセスポイント１０４が第３の局１１４に送るべきデータを有することを示し得る。特定の実施形態では、データは第２のアクセスポイント１０４における構成変更に関し得る。別の実施形態では、データは第２のアクセスポイント１０４における構成変更に関し得るか、または第３の局１１４に向けられた、ネットワーク（たとえば、ネットワーク１０８のうちの１つ）から受信されたデータを含み得る。
【００４３】
[0048]第３の局１１４は肯定応答フレームを受信し、更新ビットが第１の値に設定されているか第２の値に設定されているかを判断し得る。更新ビットが第１の値に設定されているとき、第３の局１１４は第２のアクセスポイント１０４が第３の局１１４に送るべきデータを有さないと判断し得、第３の局１１４は再び非同期低電力モードに移行し得る。特定の実施形態では、更新ビットが第２の値に設定されているとき、第３の局１１４がアクセスポイント１０４からデータを受信するまで、第３の局１１４は再び非同期低電力モードに移行するのを遅らせ得る。別の実施形態では、第３の局１１４は、第３の局１１４が第２のアクセスポイント１０４からデータを受信する準備ができていることを示す更新要求メッセージ（図示せず）を第２のアクセスポイント１０４に送信し得る。第２のアクセスポイント１０４は、第３の局１１４から更新要求を受信したことに応答して、更新メッセージ（たとえば、更新メッセージ１２８）を送信し得る。特定の実施形態では、更新メッセージ１２４および１２８に関して説明したように、更新メッセージは構成変更データを含み得る。代替または追加として、更新メッセージは、第３の局１１４に向けられた、ネットワーク（たとえば、ネットワーク１０８のうちの１つ）から受信されたデータを含み得る。
【００４４】
[0049]ＰＳ−Ｐｏｌｌメッセージ１２６中の第３の局１１４において記憶されたビーコンシーケンス番号１２７を受信することによって、第２のアクセスポイント１０４は、第２のアクセスポイント１０４における構成変更を示すビーコンフレームが第２のアクセスポイント１０４によってブロードキャストされたときに、第３の局１１４が非同期低電力モードであったかどうかを判断することができる。したがって、第２のアクセスポイント１０４は、ＰＳ−Ｐｏｌｌメッセージ１２６を受信したことに応答して、構成変更を識別する情報を含む更新メッセージ１２８を第３の局１１４に自動的に送信することができる。
【００４５】
[0050]特定の実施形態では、局はフレーム（たとえば、ＰＳ−Ｐｏｌｌフレーム、トリガフレーム、バッファされたデータを要求するフレーム、および／またはアップリンクデータを含むフレーム）をアクセスポイントに送信し得、フレームに応答して、アクセスポイントの更新された構成に関する更新されたビーコンシーケンス番号を含む肯定応答フレームを受信し得る。局はアクセスポイントの最新の既知の構成が更新されたシーケンス番号によって識別されるかどうかを判断し得る。アクセスポイントの最新の既知の構成が受信された更新されたビーコンシーケンス番号によって識別されない場合、局は更新要求フレームをアクセスポイントに送信し得る。アクセスポイントは、局によって知られていたアクセスポイントの最新の既知の構成の少なくとも１つの変更を示す更新フレームを局に送信し得る。
【００４６】
[0051]図示のように、第４の局１１６は非同期モードで動作し、非同期低電力モードに移行し得る。第４の局１１６が非同期低電力モードである間に、第３のアクセスポイント１０６の構成が変更され得る。第３のアクセスポイント１０６の構成の変更の後、第４の局１１６は非同期低電力モードから移行し、ＰＳ−Ｐｏｌｌメッセージ１３０を第３のアクセスポイント１０６に送信し得る。第３のアクセスポイント１０６はＰＳ−Ｐｏｌｌメッセージ１３０を受信し、肯定応答メッセージ１３２を第４の局１１６に送信し得る。肯定応答メッセージ１３２は、第３のアクセスポイント１０６の現在の構成を識別する現在のビーコンシーケンス番号を含み得る。
【００４７】
[0052]肯定応答メッセージ１３２を受信したことに応答して、第４の局１１６は、第４の局１１６において記憶されたビーコンシーケンス番号が肯定応答メッセージ１３２に含まれる現在のビーコンシーケンス番号によって識別される構成に対応するかどうかを判断し得る。第４の局１１６において記憶されたビーコンシーケンス番号が肯定応答メッセージ１３２に含まれる現在のビーコンシーケンス番号と一致するとき、第４の局１１６は、第４の局１１６が第３のアクセスポイント１０６の現在の構成に気づいていると判断し得る。第４の局１１６において記憶されたビーコンシーケンス番号が肯定応答メッセージ１３２に含まれる現在のビーコンシーケンス番号と一致しないとき、第４の局１１６は、第４の局１１６が第３のアクセスポイント１０６の現在の構成に気づいておらず、第４の局１１６がその構成を変更する必要があると判断し得る。第４の局１１６において記憶されたビーコンシーケンス番号が肯定応答メッセージ１３２に含まれる現在のビーコンシーケンス番号と一致しないと判断したことに応答して、第４の局１１６は更新要求メッセージ（図示せず）を第３のアクセスポイント１０６に送信し得る。
【００４８】
[0053]第３のアクセスポイント１０６において更新要求メッセージを受信したことに応答して、第３のアクセスポイント１０６は更新メッセージ（図示せず）を送信し得る。第３のアクセスポイント１０６によって送信された更新メッセージは、上記で説明した更新メッセージ１２８と類似していてもよい。
【００４９】
[0054]特定の実施形態では、第３のアクセスポイント１０６はバッファ１４６を含む。第３のアクセスポイント１０６のバッファ１４６は、第１のアクセスポイント１０２のバッファ１４０に関して説明したように動作し得る。たとえば、第３のアクセスポイント１０６はネットワーク１０８を介して第４の局１１６に宛てられた第３のデータを受信し得る。第４の局１１６は非同期モードで動作し得る。第４の局１１６が、第４の局１１６がデータを受信する準備ができていることを示すメッセージを第３のアクセスポイント１０６に送信するまで、第３のアクセスポイント１０６は第３のデータをバッファ１４６に記憶し得る。
【００５０】
[0055]肯定応答メッセージ１３２中の第３のアクセスポイント１０６において記憶された現在のビーコンシーケンス番号を受信することによって、第４の局１１６は、第３のアクセスポイント１０６における構成変更が行われたときに、第４の局１１６が非同期低電力モードであったかどうかを判断することができる。したがって、第４の局１１６は、更新要求メッセージを第３のアクセスポイント１０６に自動的に送信することができ、第３のアクセスポイント１０６は構成変更を識別する情報を含む更新メッセージ（図示せず）をアクセスポイント１０６に送信することができる。
【００５１】
[0056]図２を参照すると、アクセスポイントと局との間で構成変更メッセージを送信する方法の特定の実施形態の図が開示され、全体として２００で示されている。図２では、局２０２およびアクセスポイント２０４が示されている。特定の実施形態では、アクセスポイント２０４は図１の第２のアクセスポイント１０４であり得る。図２に示すように、アクセスポイント２０４は現在のビーコンシーケンス番号（たとえば、アクセスポイントビーコンシーケンス番号（ＡＰ−ＢＳＮ））２０８を記憶し得る。現在のビーコンシーケンス番号２０８は、アクセスポイント２０４の現在の構成を識別し得る。特定の実施形態では、局２０２はビーコンシーケンス番号（たとえば、局ビーコンシーケンス番号（Ｓ−ＢＳＮ））２０６を記憶し得る。局ビーコンシーケンス番号２０６は、局２０２に知られているアクセスポイント２０４の最新の既知の構成を識別し得る。
【００５２】
[0057]第１の時間において、局ビーコンシーケンス番号２０６はＸの値に設定され得、現在のビーコンシーケンス番号２０８はＸの値に設定され得る。２１０において、局２０２は非同期低電力モードに入り得る。２１２において、局２０２が非同期低電力モードである間、アクセスポイント２０４はアクセスポイント２０４の構成を変更し得、現在のビーコンシーケンス番号２０８はＸ＋１に増分され得る。局２０２は非同期低電力モードになっているので、局２０２はアクセスポイント２０４の構成が変化したという通知（たとえば、ビーコンフレーム、更新メッセージなど）を受信しない場合がある。
【００５３】
[0058]２１４において、局２０２は非同期低電力モードから移行し得る。続いて、２１６において、局２０２はＰＳ−Ｐｏｌｌメッセージ２１８をアクセスポイント２０４に送信する。ＰＳ−Ｐｏｌｌメッセージ２１８は局２０２において記憶された局ビーコンシーケンス番号２０６を含み得る。２２２において、アクセスポイント２０４は局２０２からＰＳ−Ｐｏｌｌメッセージ２１８を受信し、局ビーコンシーケンス番号２０６がアクセスポイント２０４において記憶された現在のビーコンシーケンス番号２０８に対応するかどうかを判断し得る。
【００５４】
[0059]２２４において、局ビーコンシーケンス番号２０６が現在のビーコンシーケンス番号２０８に対応しないと判断したことに応答して、アクセスポイント２０４は更新フレーム２３４（たとえば、更新メッセージ１２８）を送信し得る。更新フレーム２３４は更新データ２３６を含み得る。特定の実施形態では、更新データ２３６は、アクセスポイント２０４の前の構成における１つまたは複数のパラメータ値とは値が異なる、アクセスポイント２０４の現在の構成における１つまたは複数のパラメータ値を識別する情報（たとえば、局２０２において記憶された局ビーコンシーケンス番号２０６によって識別される構成）を含み得る。別の実施形態では、更新データ２３６は、アクセスポイント２０４の構成に関連付けられたパラメータ値のすべてまたは所定のセットを識別する情報を含み得る。さらに別の実施形態では、更新データ２３６は、アクセスポイント２０４の構成が変化したことを示す他の情報を含み得る。更新フレーム２３４を受信したことに応答して、局２０２は、更新フレーム２３４に含まれる更新データ２３６に基づいて、その構成を変更し得る（図示せず）。
【００５５】
[0060]代替実施形態では、２２６において、アクセスポイント２０４は、局ビーコンシーケンス番号２０６が現在のビーコンシーケンス番号２０８に対応しないと判断したことに応答して、肯定応答フレーム２２８を局２０２に送信し得る。肯定応答フレーム２２８は、局２０２において記憶された局ビーコンシーケンス番号２０６がアクセスポイント２０４において記憶された現在のビーコンシーケンス番号２０８に対応するかどうかを示す更新ビット２３０（たとえば、フラグ）を含み得る。たとえば、更新ビット２３０の第１の値は、局２０２において記憶された局ビーコンシーケンス番号２０６がアクセスポイント２０４において記憶された現在のビーコンシーケンス番号２０８と一致することを示し得る。更新ビット２３０の第２の値は、第３の局１１４において記憶された局ビーコンシーケンス番号２０６が第２のアクセスポイント１０４において記憶された現在のビーコンシーケンス番号２０８と一致しないことを示し得る。
【００５６】
[0061]２３２において、局２０２は肯定応答フレーム２２８を受信し、更新ビット２３０が第１の値に設定されているか第２の値に設定されているかを判断し得る。更新ビット２３０が第１の値に設定されているとき、局２０２は、アクセスポイント２０４の現在の構成が局２０２において記憶された局ビーコンシーケンス番号２０６によって識別される構成であると判断し得る。更新ビット２３０が第２の値に設定されているとき、局２０２は、アクセスポイント２０４の現在の構成が局２０２において記憶された局ビーコンシーケンス番号２０６に対応する構成ではないと判断し得る。２３８において、更新ビット２３０が第２の値に設定されていると判断したことに応答して、局２０２は更新要求メッセージ２４０をアクセスポイント２０４に送信し得る。更新要求メッセージ２４０は、アクセスポイント２０４が更新メッセージ（たとえば、更新メッセージ１２４、１２８のうちの１つ）を送信することを要求し得る。２２４において、アクセスポイント２０４において更新要求フレーム２３４を受信したことに応答して、第３のアクセスポイント１０６は更新フレーム２３４を送信し得る。更新フレーム２３４は、図１に関して説明した更新メッセージ１２４、１２８に類似していてもよい。
【００５７】
[0062]代替として、第２の値を有する更新ビット２３０に応答して、局２０２はアクセスポイント２０４からの更新フレーム２３４の送信を待つためにアクティブ状態（すなわち、非同期低電力状態またはオフ状態以外の状態）のままであり得、アクセスポイント２０４は肯定応答フレーム２２８を送信した後に更新フレーム２３４を自動的に送信し得る。
【００５８】
[0063]図３を参照すると、アクセスポイントと局との間で構成変更メッセージを送信する方法の別の実施形態の図が開示され、全体として３００で示されている。図３では、局３０２およびアクセスポイント３０４が示されている。アクセスポイント３０４はフラグレジスタ３０６を含む。フラグレジスタ３０６は図１のフラグレジスタ１４２であり得る。
【００５９】
[0064]３０８において、局３０２は非同期低電力モードに入り得る。３１０において、局３０２が非同期低電力モードである間、アクセスポイント３０４はアクセスポイント３０４の構成を変更し得る。局３０２は非同期低電力モードになっているので、局３０２はアクセスポイント３０４の構成が変化したという通知（たとえば、ビーコンフレーム、更新メッセージなど）を受信しない場合がある。３１２において、アクセスポイント３０４は、図１に関して説明したように、フラグレジスタ３０６中の１つまたは複数のエントリを、１つまたは複数のエントリに関連付けられた（たとえば、局３０２を含む）（１つまたは複数の）局が構成変更の通知を受信しなかった可能性があることを示す値に初期化し得る。
【００６０】
[0065]３１４において、局３０２は非同期低電力モードから移行し得る。続いて、３１６において、局３０２はＰＳ−Ｐｏｌｌメッセージ３１８をアクセスポイント３０４に送信する。３２０において、アクセスポイント３０４は局３０２からＰＳ−Ｐｏｌｌメッセージ３１８を受信し、局３０２に関連付けられたフラグレジスタ３０６中のエントリの値が、局３０２がアクセスポイント３０４の構成変更の通知を受信しなかったことを示すかどうかを判断し得る。３２２において、局３０２が通知を受信しなかったと判断したことに応答して、アクセスポイント３０４は更新フレーム３２４を局３０２に送信し得る。更新フレーム３２４は、図１および図２に関して上記で説明したように、更新データ３２６を含み得る。
【００６１】
[0066]図４を参照すると、アクセスポイントと局との間で構成変更メッセージを送信する方法の別の実施形態の図が開示され、全体として４００で示されている。図４では、局４０２およびアクセスポイント４０４が示されている。図４に示すように、アクセスポイント４０４は現在のビーコンシーケンス番号４０８（たとえば、アクセスポイントビーコンシーケンス番号（ＡＰ−ＢＳＮ））を含み得る。現在のビーコンシーケンス番号４０８は、アクセスポイント４０４の現在の構成を識別し得る。特定の実施形態では、局４０２はビーコンシーケンス番号４０６（たとえば、局ビーコンシーケンス番号（Ｓ−ＢＳＮ））を含み得る。局ビーコンシーケンス番号４０６は、局４０２に知られているアクセスポイント４０４の最新の既知の構成を識別し得る。
【００６２】
[0067]第１の時間において、局ビーコンシーケンス番号４０６はＸの値に設定され得、現在のビーコンシーケンス番号４０８はＸの値に設定され得る。４１０において、局４０２は非同期低電力モードに入り得る。４１２において、局４０２が非同期低電力モードである間、アクセスポイント４０４はアクセスポイント４０４の構成を変更し得、現在のビーコンシーケンス番号４０８はＸ＋１に増分され得る。局４０２は非同期低電力モードになっているので、局４０２はアクセスポイント４０４の構成が変化したという通知（たとえば、ビーコンフレーム、更新メッセージなど）を受信しない場合がある。
【００６３】
[0068]４１４において、局４０２は非同期低電力モードから移行し得る。続いて、４１６において、局４０２はＰＳ−Ｐｏｌｌメッセージ４１８をアクセスポイント４０４に送信する。ただし、図２のＰＳ−Ｐｏｌｌメッセージ２１８とは対照的に、ＰＳ−Ｐｏｌｌメッセージ４１８は局４０２において記憶された局ビーコンシーケンス番号４０６を含まない場合がある。４２０において、ＰＳ−Ｐｏｌｌメッセージ４１８を受信したことに応答して、アクセスポイント４０４は肯定応答フレーム４２２を局４０２に送信し得る。肯定応答フレーム４２２は、（肯定応答フレーム４２２中のＡＰ−ＢＳＮ４２４として図４に示す）アクセスポイント４０４において記憶された現在のビーコンシーケンス番号４０８を含み得る。ＡＰ−ＢＳＮ４２４はアクセスポイント４０４の現在の構成を識別し得るまたはこれに対応し得る。
【００６４】
[0069]４２６において、局４０２は肯定応答フレーム４２２を受信し、局ビーコンシーケンス番号４０６が現在のビーコンシーケンス番号４０８によって識別されるアクセスポイント構成に対応するかどうかを判断し得る。現在のビーコンシーケンス番号４０８および局ビーコンシーケンス番号４０６が同じ値を有するとき、局４０２は、アクセスポイント４０４の現在の構成が局４０２において記憶された局ビーコンシーケンス番号４０６によって識別される構成であると判断し得る。現在のビーコンシーケンス番号４０８および局ビーコンシーケンス番号４０６が同じ値を有さないとき、局４０２は、アクセスポイント４０４の現在の構成が局４０２において記憶された局ビーコンシーケンス番号４０６によって識別される構成ではないと判断し得る。
【００６５】
[0070]４２８において、アクセスポイント４０４の現在の構成が局ビーコンシーケンス番号４０６によって識別される構成ではないと判断したことに応答して、局４０２は更新要求フレーム４３０をアクセスポイント４０４に送信し得る。更新要求フレーム４３０に応答して、アクセスポイントは、図１に関して説明した更新メッセージ１２４、１２８のうちの１つまたは複数などの更新データを局４０２に送り得る。
【００６６】
[0071]図５を参照すると、図１〜図４に従って構成変更メッセージをアクセスポイントに送信するように動作可能な局の特定の実施形態のブロック図が開示され、全体として５００で示されている。局５００は、メモリ５３２に結合された、プロセッサ５１０などのプロセッサを含む。
【００６７】
[0072]メモリ５３２はデータ（たとえば、代表的な構成データ５６２）、命令、またはその両方を記憶する非一時的コンピュータ可読記憶媒体であり得る。特定の実施形態では、メモリ５３２は、局５００の１つまたは複数の機能をプロセッサ５１０に実行させるようにプロセッサ５１０によって実行可能であり得る命令５５２を含み得る。たとえば、命令５５２は、ユーザアプリケーション、オペレーティングシステム、他の実行可能な命令、またはそれらの組合せを含み得る。命令は、図１〜図４に関して説明した機能の少なくとも一部分をプロセッサによって実行させるようにプロセッサ５１０によって実行可能であり得る。
【００６８】
[0073]局５００は、信号および／またはデータパケットを送信および受信するためのトランシーバ５５０を含み得る。たとえば、局５００がフレーム（たとえば、ＰＳ−Ｐｏｌｌフレーム、トリガフレーム、バッファされるデータを要求するフレーム、アップリンクデータを含むフレームなど）、更新要求フレーム、または任意の他のデータをアクセスポイントに送信するとき、局５００は送信機として機能し得る。別の例として、局５００が肯定応答フレーム、更新フレーム、または任意の他のデータをアクセスポイントから受信するとき、局５００は受信機として機能し得る。
【００６９】
[0074]特定の実施形態では、トランシーバ５５０は局からアクセスポイントにフレーム（たとえば、ＰＳ−Ｐｏｌｌフレーム）を送信するための手段を提供し得る。トランシーバ５５０は、フレームに応答して、アクセスポイントから、アクセスポイントの構成の少なくとも１つの変更を示す更新フレームを受信するための手段も提供し得る。トランシーバ５５０は、フレームに応答して、アクセスポイントの更新された構成に関する更新されたビーコンシーケンス番号を含む肯定応答フレームを受信するための手段も提供し得る。特定の実施形態では、プロセッサ５１０は、アクセスポイントの最新の既知の構成が更新されたビーコンシーケンス番号によって識別されるかどうかを判断するための手段を提供し得る。
【００７０】
[0075]図５はまた、プロセッサ５１０とディスプレイ５２８とに結合され得るディスプレイコントローラ５２６を示す。コーダ／デコーダ（コーデック）５３４（たとえば、オーディオおよび／またはボイスコーデック）がプロセッサ５１０に結合され得る。スピーカー５３６およびマイクロフォン５３８がコーデック５３４に結合され得る。図５はまた、ワイヤレスコントローラ５４０が、プロセッサ５１０と、ワイヤレスアンテナ５４２に結合された（モデム５４１を介した）トランシーバ５５０とに結合され得ることを示す。特定の実施形態では、プロセッサ５１０、ディスプレイコントローラ５２６、メモリ５３２、モデム５４１、コーデック５３４、ワイヤレスコントローラ５４０、およびトランシーバ５５０は、システムインパッケージまたはシステムオンチップデバイス５２２中に含まれる。
【００７１】
[0076]特定の実施形態では、入力デバイス５３０および電源５４４がシステムオンチップデバイス５２２に結合される。さらに、特定の実施形態では、図５に示すように、ディスプレイ５２８、入力デバイス５３０、スピーカー５３６、マイクロフォン５３８、ワイヤレスアンテナ５４２、および電源５４４は、システムオンチップデバイス５２２の外部にある。ただし、ディスプレイ５２８、入力デバイス５３０、スピーカー５３６、マイクロフォン５３８、ワイヤレスアンテナ５４２、および電源５４４の各々は、インターフェースまたはコントローラなど、システムオンチップデバイス５２２の構成要素に結合され得る。
【００７２】
[0077]図５はワイヤレス通信デバイスを示しているが、プロセッサ５１０およびメモリ５３２は、モバイルデバイス、カメラ、マルチメディアプレーヤ、エンターテインメントユニット、ナビゲーションデバイス、携帯情報端末（ＰＤＡ）、固定ロケーションデータユニット、コンピュータ（たとえば、タブレットコンピュータ、ラップトップコンピュータ、デスクトップコンピュータ、ポータブルコンピュータなど）、メディアデバイス、ルータまたはゲートウェイデバイス、あるいはデータをワイヤレス通信するように構成された別のデバイスなど、他のデバイスに統合され得ることに留意されたい。
【００７３】
[0078]図６を参照すると、図１〜図４に従って構成変更メッセージを局に送信するように動作可能なアクセスポイントの特定の実施形態のブロック図が開示され、全体として６００で示されている。アクセスポイント６００は、メモリ６３２に結合された、プロセッサ６１０などのプロセッサを含む。
【００７４】
[0079]メモリ６３２はデータ（たとえば、代表的な構成データ６７２）、命令、またはその両方を記憶する非一時的コンピュータ可読記憶媒体であり得る。特定の実施形態では、メモリ６３２は、アクセスポイント６００と通信する対応する局に関連付けられたフラグ６６２を含む１つまたは複数のレジスタも含み得る。特定の実施形態では、フラグ６６２は、アクセスポイント６００の更新された構成が局に送信されるべきであることを示し得る。
【００７５】
[0080]特定の実施形態では、メモリ６３２は、アクセスポイント６００の１つまたは複数の機能をプロセッサ６１０に実行させるようにプロセッサ６１０によって実行可能であり得る命令６５２を含み得る。たとえば、命令６５２は、ユーザアプリケーション、オペレーティングシステム、または他の実行可能な命令、またはそれらの組合せを含み得る。命令６５２は、図１〜図４のいずれかに関して説明した機能の少なくとも一部分をプロセッサ６１０に実行させるようにプロセッサ６１０によって実行可能であり得る。
【００７６】
[0081]アクセスポイント６００は、信号および／またはデータパケットを送信および受信するためのトランシーバ６５０を含み得る。たとえば、アクセスポイント６００が信号および／またはパケットを送信するとき、アクセスポイント６００は送信機として機能し得、アクセスポイント６００が信号および／またはパケットを受信するとき、受信機として機能し得る。例示すると、アクセスポイント６００が肯定応答フレーム、更新フレーム、またはそれらの任意の組合せを局に送信するとき、アクセスポイント６００は送信機として機能し得る。アクセスポイント６００がフレーム（たとえば、ＰＳ−Ｐｏｌｌフレーム、トリガフレーム、アクセスポイント６００においてバッファされるデータを要求するフレーム、アップリンクデータを含むフレームなど）、更新要求、またはそれらの任意の組合せを局から受信するとき、アクセスポイント６００はまた、受信機として機能し得る。
【００７７】
[0082]図６はまた、モデム６４１およびワイヤレスコントローラ６４０が、プロセッサ６１０と、ワイヤレスアンテナ６４２に結合されたトランシーバ６５０とに結合され得ることを示している。特定の実施形態では、プロセッサ６１０、メモリ６３２、モデム６４１、ワイヤレスコントローラ６４０、およびトランシーバ６５０は、システムインパッケージまたはシステムオンチップデバイス６２２中に含まれる。特定の実施形態では、電源６４４はオンチップシステム６２２に結合される。さらに、特定の実施形態では、ワイヤレスアンテナ６４２および電源６４４はシステムオンチップデバイス６２２の外部にある。
【００７８】
[0083]図６はワイヤレス通信デバイスを示しているが、プロセッサ６１０およびメモリ６３２は、モバイルデバイス、カメラ、マルチメディアプレーヤ、エンターテインメントユニット、ナビゲーションデバイス、携帯情報端末（ＰＤＡ）、固定ロケーションデータユニット、コンピュータ（たとえば、タブレットコンピュータ、ラップトップコンピュータ、デスクトップコンピュータ、ポータブルコンピュータなど）、メディアデバイス、ルータまたはゲートウェイデバイス、あるいはデータをワイヤレス通信するように構成された別のデバイスなど、他のデバイスに統合され得ることに留意されたい。
【００７９】
[0084]説明した実施形態に関連して、アクセスポイントにおいて局からのフレームを受信するための手段であって、フレームが、低電力モードに入る前に局に知られていたアクセスポイントの最新の既知の構成を識別するビーコンシーケンス番号を含む、手段を含む装置が開示される。たとえば、受信するための手段は、図１のアクセスポイント１０２、１０４、および１０６、図２のアクセスポイント２０４、図３のアクセスポイント３０４、図４のアクセスポイント４０４、または図６のアクセスポイント６００の構成要素、図６のトランシーバ６５０、フレームを受信するように構成された１つまたは複数の他のデバイス、あるいはそれらの任意の組合せを含み得る。
【００８０】
[0085]装置は、アクセスポイントの現在の構成がフレーム中の局から受信されたビーコンシーケンス番号によって識別されるかどうかを判断するための手段も含む。たとえば、判断するための手段は、図６のプロセッサ６１０、図１のアクセスポイント１０２、１０４、および１０６、図２のアクセスポイント２０４、図３のアクセスポイント３０４、図４のアクセスポイント４０４、または図６のアクセスポイント６００の構成要素、図６のトランシーバ６５０、アクセスポイントの現在の構成がビーコンシーケンス番号によって識別されるかどうかを判断するように構成された１つまたは複数の他のデバイス、あるいはそれらの任意の組合せを含み得る。
【００８１】
[0086]装置は、現在の構成がビーコンシーケンス番号によって識別されないと判断したことに応答して、現在の構成とビーコンシーケンス番号によって識別される構成との間の少なくとも１つの差を示す更新フレームを送信するための手段を含む。たとえば、更新フレームを送信するための手段は、図１のアクセスポイント１０２、１０４、および１０６、図２のアクセスポイント２０４、図３のアクセスポイント３０４、図４のアクセスポイント４０４、または図６のアクセスポイント６００の構成要素、図６のトランシーバ６５０、更新フレームを送信するように構成された１つまたは複数の他のデバイス、あるいはそれらの任意の組合せを含み得る。
【００８２】
[0087]説明した実施形態に関連して、局からアクセスポイントにフレームを送信するための手段を含む装置が開示される。たとえば、送信するための手段は、図１の局１１０、１１２、１１４、および１１６、図２の局２０２、図３の局３０２、図４の局４０２、または図５の局５００の構成要素、図５のトランシーバ５５０、フレームを送信するように構成された１つまたは複数の他のデバイス、あるいはそれらの任意の組合せを含み得る。
【００８３】
[0088]装置は、フレームに応答して、アクセスポイントの更新された構成に関する更新されたビーコンシーケンス番号を含む肯定応答フレームを受信するための手段を含む。たとえば、肯定応答フレームを受信するための手段は、図１の局１１０、１１２、１１４、および１１６、図２の局２０２、図３の局３０２、図４の局４０２、または図５の局５００の構成要素、図５のトランシーバ５５０、肯定応答フレームを受信するように構成された１つまたは複数の他のデバイス、あるいはそれらの任意の組合せを含み得る。
【００８４】
[0089]装置は、アクセスポイントの最新の既知の構成が更新されたビーコンシーケンス番号によって識別されるかどうかを判断するための手段も含む。たとえば、判断するための手段は、図５のプロセッサ５１０、図１の局１１０、１１２、１１４、および１１６、図２の局２０２、図３の局３０２、図４の局４０２、または図５の局５００の構成要素、図５のトランシーバ５５０、アクセスポイントの最新の既知の構成が更新されたビーコンシーケンス番号によって識別されるかどうかを判断するように構成された１つまたは複数の他のデバイス、あるいはそれらの任意の組合せを含み得る。送信するための手段は、アクセスポイントの最新の既知の構成が更新されたビーコン番号によって識別されないと判断したことに応答して、更新フレームをアクセスポイントに送信するようにさらに構成される。
【００８５】
[0090]さらに、本明細書で開示した実施形態に関して説明した様々な例示的な論理ブロック、構成、モジュール、回路、およびアルゴリズムステップは、電子ハードウェア、コンピュータソフトウェア、または両方の組合せとして実装され得ることを、当業者は諒解されよう。様々な例示的な構成要素、ブロック、構成、モジュール、回路、およびステップを、上記では概して、それらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【００８６】
[0091]本明細書で開示した実施形態に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ランダムアクセスメモリ（ＲＡＭ）、フラッシュメモリ、読取り専用メモリ（ＲＯＭ）、プログラマブル読取り専用メモリ（ＰＲＯＭ）、消去可能プログラマブル読取り専用メモリ（ＥＰＲＯＭ）、電気消去可能プログラマブル読取り専用メモリ（ＥＥＰＲＯＭ（登録商標））、レジスタ、ハードディスク、リムーバブルディスク、コンパクトディスク読取り専用メモリ（ＣＤ−ＲＯＭ）、または任意の他の形態の非一時的記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体は特定用途向け集積回路（ＡＳＩＣ）中に常駐してもよい。ＡＳＩＣはコンピューティングデバイスまたはユーザ端末（たとえば、モバイル電話またはＰＤＡ）中に常駐してもよい。代替として、プロセッサおよび記憶媒体は、コンピューティングデバイスまたはユーザ端末中に個別構成要素として常駐してもよい。
【００８７】
[0092]開示した実施形態の上記の説明は、開示した実施形態を当業者が作成または使用できるように行ったものである。これらの実施形態への様々な変更は当業者には容易に明らかになり、本明細書で定義された原理は本開示の範囲から逸脱することなく他の実施形態に適用され得る。したがって、本開示は、本明細書で開示する実施形態に限定されるものではなく、以下の特許請求の範囲によって定義される原理および新規の特徴と合致することが可能な最も広い範囲が与えられるべきものである。
【図１】
2015503874.tif 000003
【図２】
2015503874.tif 000004
【図３】
2015503874.tif 000005
【図４】
2015503874.tif 000006
【図５】
2015503874.tif 000007
【図６】
2015503874.tif 000008
【国際調査報告】
2015503874.tif 000009
2015503874.tif 000010
2015503874.tif 000011
2015503874.tif 000012
2015503874.tif 000013